(57)【要約】【課題】乾燥室内を乾燥させることができる手乾燥装置を提供する。【解決手段】外郭を形成する本体１と、前記本体１に配置された空気流を送風する電動送風機２と、前記本体１の開放部から挿入された手を乾燥する乾燥室３と、前記乾燥室３に挿入された手を検知し前記電動送風機２を動作させる手検知部４と、前記本体下面に配置されている吸気口５と、前記吸気口５から吸気した空気が前記電動送風機２を通り、空気流として送風されるノズル部６と、前記手検知部４で検知した入力信号を処理し前記電動送風機２を始動させる制御部７と、前記乾燥室３の底部に溜まった水分を排水させる排水口８とを備える構成して、手非検知状態になったら、遅延運転時間中は電動送風機２の送風量を最大運転させる。【選択図】図１
2010166940.tif 000002
【特許請求の範囲】
【請求項１】
外郭を形成する本体と、前記本体に配置された空気流を送風する電動送風機と、前記本体の開放部から挿入された手を乾燥する乾燥室と、前記乾燥室に挿入された手を検知し前記電動送風機を動作させる手検知部と、前記本体下面に配置されている吸気口と、前記吸気口から吸気した空気が前記電動送風機を通り、空気流として送風されるノズル部と、前記手検知部で検知した入力信号を処理し前記電動送風機を始動させる制御部と、前記乾燥室の底部に溜まった水分を排水させる排水口とを備え、前記制御部は、前記手検知部が手検知状態から手非検知状態になった時の遅延運転中は前記電動送風機を最大風量で運転してから停止することを特徴とする手乾燥装置。
【請求項２】
制御部は、遅延運転中の送風量を設定可能な第１設定スイッチとその設定を記憶する第１記憶装置とを有することを特徴とする請求項１記載の手乾燥装置。
【請求項３】
制御部は、遅延運転中の遅延時間の設定可能な第２設定スイッチとその設定を記憶する第２記憶装置を有することを特徴とする請求項１に記載の手乾燥装置。
【請求項４】
制御部は、遅延運転有無の運転制御のパターンを設定可能な第３設定スイッチとその設定を記憶する第３記憶装置を有することを特徴とする請求項１〜３のいずれかに記載の手乾燥装置。
【請求項５】
ノズル部には風向を上下左右の動作可能なルーバーを備え、遅延運転中の遅延時間に前記ルーバーを可動させて乾燥室の底部に向けて空気流を送風させることを特徴とする請求項１〜４のいずれかに記載の手乾燥装置。
【請求項６】
乾燥室の内面に水分量検知手段を備え、遅延運転中の遅延時間に乾燥室内部の水分量を検知することを特徴とする請求項１〜５のいずれかに記載の手乾燥装置。
【請求項７】
乾燥室の内面に水分量検知手段を備え、遅延運転中の遅延時間に乾燥室の内部の水分量を検知し、水分量の多い方向にルーバーを可動させて空気流を送風して、底部の排水口へ水分を排水させることを特徴とする請求項１〜６のいずれかに記載の手乾燥装置。
【請求項８】
制御部は、乾燥室内部の乾燥状態を検知しながら、空気流の送風量を自動算出することを特徴とする請求項１〜７のいずれかに記載の手乾燥装置。
【請求項９】
制御部は、乾燥室内部の乾燥状態を検知しながら、空気流の送風量を変更せず、遅延時間を自動算出して変更することを特徴とする請求項１〜８のいずれかに記載の手乾燥装置。
【請求項１０】
制御部は、乾燥室内部の乾燥状態を検知しながら、機器の通常運転に対する乾燥運転の頻度を設定可能な第４設定スイッチとその設定を記憶する第４記憶装置を有することを特徴とする請求項１〜９のいずれかに記載の手乾燥装置。
【請求項１１】
制御部は、手検知部が手非検知状態の時に、乾燥室内の水分量を検知し、乾燥していなければ、空気流が弱い送風量で電動送風機を運転し、前記乾燥室内の空気を循環させることを特徴とする手乾燥装置。
【請求項１２】
本体内の電動送風機とノズル部間の風路にヒーターを備え、手非検知状態時に、乾燥室内の水分量を検知し、乾燥していなければ、前記ヒーターにて空気流を加熱させて、前記乾燥室内の空気を電動送風機が弱い送風量で循環させることを特徴とする請求項１１記載の手乾燥装置。
【請求項１３】
制御部は、手非検知状態時でも乾燥室の内部の水分量を検知し、乾燥していなければ、ヒーターを断続的にＯＮ／ＯＦＦさせて空気流を加熱させて、電動送風機が弱い送風量で前記乾燥室内の空気を循環させることを特徴とする請求項１１または１２に記載の手乾燥装置。
【請求項１４】
制御手段は、第１表示手段を備え、乾燥室の内部が乾燥していないときに電動送風機が行う循環運転の動作を表示させることを特徴とする請求項１１〜１３のいずれかに記載の手乾燥装置。
【請求項１５】
乾燥室の手挿入口を塞ぐカバーと前記カバーを可動するカバー可動手段とを備え、手非検知状態時に、前記乾燥室の内部の水分量を検知し、乾燥していなければ前記カバーで手挿入口を塞ぎ、電動送風機を運転させて乾燥室内に循環風を送風する完全予備乾燥運転モードを備えたことを特徴とする請求項１１〜１４のいずれかに記載の手乾燥装置。
【請求項１６】
制御部は、完全予備乾燥運転モードの運転頻度を設定する第５設定スイッチとその設定状態を記憶する第５記憶装置を有することを特徴とする請求項１１〜１５のいずれかに記載の手乾燥装置。
【請求項１７】
制御手段は、第２表示手段を備え、完全予備乾燥運転モード中に前記乾燥室の乾燥終了時間を自動算出し、前記第２表示手段に終了時間を表示することを特徴とする請求項１１〜１６のいずれかに記載の手乾燥装置。
【請求項１８】
制御部は人感センサーを備え、完全予備乾燥運転モード中に人体を検知すると、完全予備乾燥運転モードを停止しカバーを開けて通常使用をすることを特徴とする請求項１１〜請求項１７のいずれかに記載の手乾燥装置。
【請求項１９】
本体内の電動送風機とノズル部間の風路に菌の発生を抑制する消毒剤散布手段を備え、手非検知状態時でも、乾燥室の内部の水分量を検知し、乾燥していなければ、前記消毒剤散布手段より消毒剤を散布することを特徴とする請求項１〜１８のいずれかに記載の記載の手乾燥装置。
【請求項２０】
制御部は、消毒剤散布手段より消毒剤を散布する頻度を設定する第６設定スイッチとその設定を記憶する第６記憶装置を有することを特徴とする請求項１９記載の手乾燥装置。
【発明の詳細な説明】
【技術分野】
【０００１】
本発明は、手を効率的に乾燥させる手乾燥装置に関するものである。
【背景技術】
【０００２】
従来、この種の手乾燥装置は、洗浄後の濡れた手を衛生的に乾燥させる装置として、高速空気流により手に付着した水滴を吹き飛ばして乾燥させる手乾燥装置が知られている（例えば、特許文献１参照）。
【０００３】
また、この装置は、本体の乾燥室に手を挿入するための開口部が設けられ、乾燥室の壁面に傾けて設けられた赤外線発光素子と赤外線受光素子からなる手検出部が設けられている。
【０００４】
さらに、手検出部により手を検知すると本体に内蔵された送風装置が作動し、吹き出し口から乾燥室へ高速空気流が噴射して、手に付着した水分を吹き飛ばして、手を乾燥させる構成となっていた。
【特許文献１】特開平１１−３１８７６０号公報
【発明の開示】
【発明が解決しようとする課題】
【０００５】
このような従来の手乾燥装置では、手を検知したときに吹き出しノズルから送風を行うが、手の検知がなくなるとノズルからの送風を停止してしまうため乾燥室内を乾燥させることができないという課題があった。
【０００６】
さらに、第一使用者から飛散した水分が乾燥室内に溜った状態で、第二使用者の手検知時に乾燥室内に溜っていた第一使用者の水分が、第二使用者へ跳ね返り飛散するために不快を与えるという課題があった。
【０００７】
本発明は、このような従来の課題を解決するもので、乾燥室の底部まで空気流が届くために乾燥室の内部の水分や底部の水分が排水口に流れることで跳ね返り水の防止、乾燥室内の乾燥状態が保たれることで清潔性の向上が図れることができる手乾燥装置を提供する。
【課題を解決するための手段】
【０００８】
前記課題を解決するために、本発明の手乾燥装置は、外郭を形成する本体と、前記本体に配置された空気流を送風する電動送風機と、前記本体の開放部から挿入された手を乾燥する乾燥室と、前記乾燥室に挿入された手を検知し前記電動送風機を動作させる手検知部と、前記本体下面に配置されている吸気口と、前記吸気口から吸気した空気が前記電動送風機を通り、空気流として送風されるノズル部と、前記手検知部で検知した入力信号を処理し前記電動送風機を始動させる制御部と、前記乾燥室の底部に溜まった水分を排水させる排水口とを備え、前記制御部は、前記手検知部が手検知状態から手非検知状態になった時の遅延運転中は前記電動送風機を最大風量で運転してから停止することを特徴とする手乾燥装置ものである。
【０００９】
この手段により、乾燥室の底部まで空気流が届くために乾燥室の内部の水分や底部の水分が排水口に流れることで跳ね返り水の防止、乾燥室内の乾燥状態が保たれることで清潔性の向上が図れるという効果のある手乾燥装置が得られる。
【００１０】
また、他の手段は、制御部は、遅延運転中の送風量を設定可能な第１設定スイッチとその設定を記憶する第１記憶装置とを有することを特徴とする請求項１記載の手乾燥装置ものである。
【００１１】
この手段により、設置場所や使用状況に合わせた使用者の設定が可能となり、乾燥室内の乾燥状態が保たれるという効果のある手乾燥装置が得られる。
【００１２】
また、他の手段は、制御部は、遅延運転中の遅延時間の設定可能な第２設定スイッチとその設定を記憶する第２記憶装置を有することを特徴とするものである。
【００１３】
この手段により、設置場所や使用状況に合わせた使用者の設定が可能となり、乾燥室内の乾燥状態が保たれるという効果のある手乾燥装置が得られる。
【００１４】
また、他の手段は、制御部は、遅延運転有無の運転制御のパターンを設定可能な第３設定スイッチとその設定を記憶する第３記憶装置を有することを特徴とするものである。
【００１５】
この手段により、遅延運転を毎回実施するのではなく、四季に応じて、一日の遅延運転の回数を設定することができるという効果のある手乾燥装置が得られる。
【００１６】
また、他の手段は、ノズル部には風向を上下左右の動作可能なルーバーを備え、遅延運転中の遅延時間に前記ルーバーを可動させて乾燥室の底部に向けて空気流を送風させることを特徴とするものである。
【００１７】
この手段により、乾燥室内の水分を排水口に集めることができるため、乾燥室内の乾燥状態が加速するという効果のある手乾燥装置が得られる。
【００１８】
また、他の手段は、乾燥室の内面に水分量検知手段を備え、遅延運転中の遅延時間に乾燥室内部の水分量を検知することを特徴とするものである。
【００１９】
この手段により、乾燥室内の水分量が測定可能となり、乾燥室内の乾燥状態が数値化できるという効果のある手乾燥装置が得られる。
【００２０】
また、他の手段は、乾燥室の内面に水分量検知手段を備え、遅延運転中の遅延時間に乾燥室の内部の水分量を検知し、水分量の多い方向にルーバーを可動させて空気流を送風して、底部の排水口へ水分を排水させることを特徴とするものである。
【００２１】
この手段により、効率的な乾燥を行うことができるという効果のある手乾燥装置が得られる。
【００２２】
また、他の手段は、制御部は、乾燥室内部の乾燥状態を検知しながら、空気流の送風量を自動算出することを特徴とするものである。
【００２３】
この手段により、遅延時間一定にて、効率的な乾燥を行うことができるという効果のある手乾燥装置が得られる。
【００２４】
また、他の手段は、制御部は、乾燥室内部の乾燥状態を検知しながら、空気流の送風量を変更せず、遅延時間を自動算出して変更することを特徴とするものである。
【００２５】
この手段により、送風量一定にて、効率的な乾燥を行うことができるという効果のある手乾燥装置が得られる。
【００２６】
また、他の手段は、制御部は、乾燥室内部の乾燥状態を検知しながら、機器の通常運転に対する乾燥運転の頻度を設定可能な第４設定スイッチとその設定を記憶する第４記憶装置を有することを特徴とするものである。
【００２７】
この手段により、水分量検知手段の結果に応じて、遅延運転の回数を増減することができるという効果のある手乾燥装置が得られる。
【００２８】
また、他の手段は、制御部は、手検知部が手非検知状態の時に、乾燥室内の水分量を検知し、乾燥していなければ、空気流が弱い送風量で電動送風機を運転し、前記乾燥室内の空気を循環させることを特徴とするものである。
【００２９】
この手段により、機器周辺の人に気付かれることなく、乾燥室を加速させることで、乾燥状態を保つことができるという効果のある手乾燥装置が得られる。
【００３０】
また、他の手段は、本体内の電動送風機とノズル部間の風路にヒーターを備え、手非検知状態時に、乾燥室内の水分量を検知し、乾燥していなければ、前記ヒーターにて空気流を加熱させて、前記乾燥室内の空気を電動送風機が弱い送風量で循環させることを特徴とするものである。
【００３１】
この手段により、機器周辺の人に気付かれることなく、乾燥室を更に加速させることで、乾燥状態を保つことができるという効果のある手乾燥装置が得られる。
【００３２】
また、他の手段は、制御部は、手非検知状態時でも乾燥室の内部の水分量を検知し、乾燥していなければ、ヒーターを断続的にＯＮ／ＯＦＦさせて空気流を加熱させて、電動送風機が弱い送風量で前記乾燥室内の空気を循環させることを特徴とするものである。
【００３３】
この手段により、ヒーターの断続的なＯＮ／ＯＦＦにより省エネを考慮しながら乾燥室の乾燥を加速させるという効果のある手乾燥装置が得られる。
【００３４】
また、他の手段は、制御手段は、第１表示手段を備え、乾燥室の内部が乾燥していないときに電動送風機が行う循環運転の動作を表示させることを特徴とするものである。
【００３５】
この手段により、予備乾燥運転モードであることを周辺の人にお知らせし、誤動作でないことを表示するという効果のある手乾燥装置が得られる。
【００３６】
また、他の手段は、乾燥室の手挿入口を塞ぐカバーと前記カバーを可動するカバー可動手段とを備え、手非検知状態時に、前記乾燥室の内部の水分量を検知し、乾燥していなければ前記カバーで手挿入口を塞ぎ、電動送風機を運転させて乾燥室内に循環風を送風する完全予備乾燥運転モードを備えたことを特徴とするものである。
【００３７】
この手段により、短時間乾燥を行うのと、第一使用者の水分の跳ね返りがなく、気持ちよく使用してもらうという効果のある手乾燥装置が得られる。
【００３８】
また、他の手段は、制御部は、完全予備乾燥運転モードの運転頻度を設定する第５設定スイッチとその設定状態を記憶する第５記憶装置を有することを特徴とするものである。
【００３９】
この手段により、使用者を待たせる回数を少なくしながら、第一使用者の水分の跳ね返りがなく、気持ちよく使用してもらうという効果のある手乾燥装置が得られる。
【００４０】
また、他の手段は、制御手段は、第２表示手段を備え、完全予備乾燥運転モード中に前記乾燥室の乾燥終了時間を自動算出し、前記第２表示手段に終了時間を表示することを特徴とするものである。
【００４１】
この手段により、使用者を待たせる時間を明確にできるという効果のある手乾燥装置が得られる。
【００４２】
また、他の手段は、制御部は人感センサーを備え、完全予備乾燥運転モード中に人体を検知すると、完全予備乾燥運転モードを停止しカバーを開けて通常使用をすることを特徴とするものである。
【００４３】
この手段により、使用者を待たせることを防止するという効果のある手乾燥装置が得られる。
【００４４】
また、他の手段は、本体内の電動送風機とノズル部間の風路に菌の発生を抑制する消毒剤散布手段を備え、手非検知状態時でも、乾燥室の内部の水分量を検知し、乾燥していなければ、前記消毒剤散布手段より消毒剤を散布することを特徴とするものである。
【００４５】
この手段により、乾燥室に溜まる水分からの菌の発生を抑制させるという効果のある手乾燥装置が得られる。
【００４６】
また、他の手段は、制御部は、消毒剤散布手段より消毒剤を散布する頻度を設定する第６設定スイッチとその設定を記憶する第６記憶装置を有することを特徴とするものである。
【００４７】
この手段により、設置場所や使用状況に合わせた使用者の設定が可能となり、過剰散布による消毒剤の使用の防止を行うという効果のある手乾燥装置が得られる。
【発明の効果】
【００４８】
本発明の手乾燥装置によれば、外郭を形成する本体と、前記本体に配置された空気流を送風する電動送風機と、前記本体の開放部から挿入された手を乾燥する乾燥室と、前記乾燥室に挿入された手を検知し前記電動送風機を動作させる手検知部と、前記本体下面に配置されている吸気口と、前記吸気口から吸気した空気が前記電動送風機を通り、空気流として送風されるノズル部と、前記手検知部で検知した入力信号を処理し前記電動送風機を始動させる制御部と、前記乾燥室の底部に溜まった水分を排水させる排水口とを備え、手非検知状態になったら、遅延運転時間中は電動送風機の送風量を最大運転させることで、乾燥室の底部まで空気流が届くために乾燥室の内部の水分や底部の水分が排水口に流れることで跳ね返り水の防止、乾燥室内の乾燥状態が保たれることで清潔性の向上が図れるという効果のある手乾燥装置を提供することができる。
【発明を実施するための最良の形態】
【００４９】
請求項１記載の発明は、外郭を形成する本体と、前記本体に配置された空気流を送風する電動送風機と、前記本体の開放部から挿入された手を乾燥する乾燥室と、前記乾燥室に挿入された手を検知し前記電動送風機を動作させる手検知部と、前記本体下面に配置されている吸気口と、前記吸気口から吸気した空気が前記電動送風機を通り、空気流として送風されるノズル部と、前記手検知部で検知した入力信号を処理し前記電動送風機を始動させる制御部と、前記乾燥室の底部に溜まった水分を排水させる排水口とを備えた手乾燥装置であって、手非検知状態になったら、遅延運転時間中は電動送風機の送風量を最大運転させる作用を有する。
【００５０】
また、制御部は、遅延運転中の送風量を設定可能な第１設定スイッチとその設定を記憶する第１記憶装置を有することを特徴とする手乾燥装置であって、制御部内にある記憶装置と設定スイッチにて、送風量の個別設定を可能とする作用を有する。
【００５１】
さらに、制御部は、遅延運転中の遅延時間の設定可能な第２設定スイッチとその設定を記憶する第２記憶装置を有することを特徴とする手乾燥装置であって、制御部内にある記憶装置と設定スイッチにて、遅延運転時間の個別設定を可能とする作用を有する。
【００５２】
また、制御部は、遅延運転有無の運転制御のパターンを設定可能な第３設定スイッチとその設定を記憶する第３記憶装置を有することを特徴とする手乾燥装置であって、制御部内にある記憶装置と設定スイッチにて、通常運転と遅延運転の頻度の設定を可能とする作用を有する。
【００５３】
さらに、ノズル部には風向を上下左右の動作可能なルーバーを備え、遅延運転中の遅延時間に前記ルーバーを可動させて乾燥室の底部に向けて空気流を送風させることを特徴とする手乾燥装置であって、遅延運転になったら、ルーバーの向きを自動で乾燥室壁面から底部に向けて送風させる作用を有する。
【００５４】
また、乾燥室の内面に水分量検知手段を備え、遅延運転中の遅延時間に乾燥室内部の水分量を検知することを特徴とする手乾燥装置であって、運転中の乾燥室内に赤外線水分計などの赤外線の反射によって光学的に水分検出を行う作用を有する。
【００５５】
さらに、乾燥室の内面に水分量検知手段を備え、遅延運転中の遅延時間に乾燥室の内部の水分量を検知し、水分量の多い方向にルーバーを可動させて空気流を送風して、底部の排水口へ水分を排水させることを特徴とする手乾燥装置であって、運転中の水分量検知手段の結果にて、水分量の多い方向から排水口に向かって送風を繰り返す作用を有する。
【００５６】
また、制御部は、乾燥室内部の乾燥状態を検知しながら、空気流の送風量を自動算出することを特徴とする手乾燥装置であって、運転中の水分量検知手段の結果にて、送風量を確認し遅延運転時間内の送風量を算出して送風運転する作用を有する。
【００５７】
さらに、制御部は、乾燥室内部の乾燥状態を検知しながら、空気流の送風量を変更せず、遅延時間を自動算出して変更することを特徴とする手乾燥装置であって、運転中の水分量検知手段の結果にて、送風量を確認し送風量を変更せず、遅延運転時間を算出して送風運転する作用を有する。
【００５８】
また、制御部は、乾燥室内部の乾燥状態を検知しながら、機器の通常運転に対する乾燥運転の頻度を設定可能な第４設定スイッチとその設定を記憶する第４記憶装置を有することを特徴とする手乾燥装置であって、運転中の水分量検知手段の結果にて、制御部内にある第４記憶装置と第４設定スイッチにて、通常運転と遅延運転の頻度の設定を可能とする作用を有する。
【００５９】
さらに、制御部は、手検知部が手非検知状態の時に、乾燥室内の水分量を検知し、乾燥していなければ、空気流が弱い送風量で電動送風機を運転し、前記乾燥室内の空気を循環させることを特徴とする手乾燥装置であって、停止中も水分量検知手段にて検知し、乾燥室内が十分に乾燥されていなければ、予備乾燥運転モードとして、弱風量で送風し、乾燥室内の空気を循環させる作用を有する。
【００６０】
また、本体内の電動送風機とノズル部間の風路にヒーターを備え、手非検知状態時に、乾燥室内の水分量を検知し、乾燥していなければ、前記ヒーターにて空気流を加熱させて、前記乾燥室内の空気を電動送風機が弱い送風量で循環させることを特徴とする手乾燥装置であって、停止中の予備乾燥運転モードで、ヒーターにて加熱された空気を送風し、乾燥室内の空気を循環させる作用を有する。
【００６１】
さらに、制御部は、手非検知状態時でも乾燥室の内部の水分量を検知し、乾燥していなければ、ヒーターを断続的にＯＮ／ＯＦＦさせて空気流を加熱させて、電動送風機が弱い送風量で前記乾燥室内の空気を循環させることを特徴とする手乾燥装置であって、停止中の予備乾燥運転モードとして、ヒーターの断続的なＯＮ／ＯＦＦを繰り返しながら加熱された空気を送風し、乾燥室内の空気を循環させる作用を有する。
【００６２】
また、制御手段は、第１表示手段を備え、乾燥室の内部が乾燥していないときに電動送風機が行う循環運転の動作を表示させることを特徴とする手乾燥装置であって、停止中の予備乾燥運転モード中に本体正面の表示手段に予備乾燥運転モード中であることを表示する作用を有する。
【００６３】
さらに、乾燥室の手挿入口を塞ぐカバーと前記カバーを可動するカバー可動手段とを備え、手非検知状態時に、前記乾燥室の内部の水分量を検知し、乾燥していなければ前記カバーで手挿入口を塞ぎ、電動送風機を運転させて乾燥室内に循環風を送風する完全予備乾燥運転モードを備えたことを特徴とする手乾燥装置であって、停止中の完全予備乾燥運転モード中に本体内部のカバーが自動可動し手挿入口を塞ぎ、手を挿入不可状態にて完全予備乾燥運転モードを行うという作用を有する。
【００６４】
また、制御部は、完全予備乾燥運転モードの運転頻度を設定する第５設定スイッチとその設定状態を記憶する第５記憶装置を有することを特徴とする手乾燥装置であって、停止中の完全予備乾燥運転モードの実施頻度を制御部内にある第５記憶装置と第５設定スイッチにて、設定を可能とするという作用を有する。
【００６５】
さらに、制御手段は、第２表示手段を備え、完全予備乾燥運転モード中に前記乾燥室の乾燥終了時間を自動算出し、前記第２表示手段に終了時間を表示することを特徴とする手乾燥装置であって、停止中の完全予備乾燥運転モードの終了時間を制御部で自動算出して表示させるという作用を有する。
【００６６】
また、制御部は人感センサーを備え、完全予備乾燥運転モード中に人体を検知すると、完全予備乾燥運転モードを停止しカバーを開けて通常使用をすることを特徴とする手乾燥装置であって、停止中の完全予備乾燥運転モード中に人感検知すると、カバー可動手段が動作し、カバーを可動させて通常動作となるという作用を有する作用を有する。
【００６７】
さらに、本体内の電動送風機とノズル部間の風路に菌の発生を抑制する消毒剤散布手段を備え、手非検知状態時でも、乾燥室の内部の水分量を検知し、乾燥していなければ、前記消毒剤散布手段より消毒剤を散布することを特徴とする手乾燥装置であって、停止中も水分量検知手段にて検知し、乾燥室内に消毒剤散布手段にて、消毒剤を散布するという作用を有する。
【００６８】
また、制御部は、消毒剤散布手段より消毒剤を散布する頻度を設定する第６設定スイッチとその設定を記憶する第６記憶装置を有することを特徴とする手乾燥装置であって、停止中の消毒散布手段の動作頻度を制御部内にある第６記憶装置と第６設定スイッチにて、設定を可能とする作用を有する。
【００６９】
以下、本発明の実施の形態について図面を参照しながら説明する。
【００７０】
（実施の形態１）
図１は、本実施の形態１における手乾燥装置の側断面図を示す。
【００７１】
図１に示すように、外郭を形成する本体１と、前記本体１に配置された空気流を送風する電動送風機２と、前記本体１の開放部から挿入された手を乾燥する乾燥室３と、前記乾燥室３に挿入された手を検知し前記電動送風機２を動作させる手検知部４と、前記本体１下面に配置されている吸気口５と、前記吸気口５から吸気した空気が前記電動送風機２を通り、空気流として送風されるノズル部６と、前記手検知部４で検知した入力信号を処理し前記電動送風機２を始動させる制御部７と、前記乾燥室３の底部に溜まった水分を排水させる排水口８とを設けている。
【００７２】
また、前記手検知部４の一例として、赤外線受発光素子や側距センサーなどを用いて、前記乾燥室３内の手の抜き差しを検知することができる。
【００７３】
さらに、前記手検知部４からの信号を検知した前記制御部７は、前記手検知部４が検知している間、前記電動送風機２を動作し続け、非検知状態になったら、前記電動送風機２を遅延運転終了後に停止させることができる。
【００７４】
また、前記乾燥室３の底部に溜まった水分は前記排水口８に集まり、ドレン配管９を通って前記本体１の下面に設置されている取り出し可能なドレンタンク１０に溜めることができる。
【００７５】
さらに、前記ドレンタンク１０に溜まったドレン水は清掃者が定期的に捨てることで使用されている。
【００７６】
また、前記制御部７は、前記手検知部４が手検知状態から手非検知状態になった時に一定時間の遅延運転モードに入り、その間の送風量は通常運転モードの送風量とは関係なく、遅延運転モードとして前記電動送風機２を最大風量で運転してから停止する制御をすることとする。
【００７７】
さらに、遅延運転モードの一定時間についての一例としては、１秒〜５秒程度で、前記手検知部４が手非検知状態になったら、惰性で前記電動送風機２が回転して停止する感覚で設定された時間である。
【００７８】
また、前記制御部７は、遅延運転モード中の送風量を設定可能な設定スイッチ１１の１つである第１設定スイッチ１１ａとその設定を記憶する記憶装置１２の１つである第１記憶装置１２ａとを設けている。
【００７９】
さらに、前記設定スイッチ１１の一例として、スライドスイッチなどの設定後に入力値を固定することで信号を前記制御部７に伝えることが可能なものであり、製品外郭などの使用者には触られないところに設置されて、機器管理者やサービスマンが操作できるような構造のスイッチなどである。
【００８０】
また、前記制御部７に搭載された前記記憶装置１２の一例として、ＥＥＰＲＯＭなどの記憶装置で、前記設定スイッチ１１からの入力された内容を前記制御部７からの信号で記憶し、必要な時に記憶されたデータを取り出すことができるものであり、記憶されたデータにより、前記制御部７は、前記電動送風機２の送風量を変更させる回転信号の変更や遅延運転時の時間管理などの設定変更が可能である。
【００８１】
さらに、前記設定スイッチ１１と前記記憶装置１２は複数の情報を持つことが可能である。そこで、異なった情報を扱う場合を説明するために、第１設定スイッチ１１ａ、第１記憶装置１２ａと表現する。
【００８２】
そして、前記第１設定スイッチ１１ａの設定により、一定時間の遅延運転中の送風量の設定を最大風量だけでなく、中風量及び最小風量などに複数段階に設定変更が可能である。
【００８３】
さらに、制御部７は、遅延運転中の遅延時間の設定可能な第２設定スイッチ１１ｂとその設定を記憶する第２記憶装置１２ｂを設けている。
【００８４】
また、前記第２設定スイッチ１１ｂを設定することで、遅延運転中の一定時間の設定変更が可能である。
【００８５】
さらに、制御部７は、遅延運転有無の運転制御のパターンを設定可能な第３設定スイッチ１１ｃとその設定を記憶する第３記憶装置１２ｃを設けた構成する。
【００８６】
また、前記第３設定スイッチ１１ｃを設定することで、遅延運転有無の頻度の割合の設定変更が可能である。
【００８７】
上記構成により、手非検知状態になったら、遅延運転時間中は電動送風機２の送風量を最大運転させることで、乾燥室３の底部まで空気流が届くために乾燥室３の内部の水分や底部の水分が排水口８に流れることで跳ね返り水の防止、乾燥室３内の乾燥状態が保たれることで清潔性の向上が図れることとなる。
【００８８】
また、制御部７内にある第１記憶装置１２ａと第１設定スイッチ１１ａにて、送風量の個別設定を可能とすることで、設置場所や使用状況に合わせた使用者の設定が可能となり、使用者の好みの送風量で乾燥室３内の乾燥状態が保たれることとなる。
【００８９】
さらに、制御部７内にある第２記憶装置１２ｂと第２設定スイッチ１１ｂにて、遅延運転時間の個別設定を可能とすることで、設置場所や使用状況に合わせた使用者の設定が可能となり、使用者の好みの遅延時間で乾燥室３内の乾燥状態が保たれることとなる。
【００９０】
また、制御部７内にある第３記憶装置１２ｃと第３設定スイッチ１１ｃにて、通常運転モードと遅延運転モードの頻度の設定を可能とすることで、遅延運転を毎回実施するのではなく、四季に応じた乾燥室内の状態にて、一日の遅延運転の回数を設定することができることとなる。
【００９１】
（実施の形態２）
図２は、本実施の形態２における手乾燥装置の側断面図を示す。
【００９２】
図１および図２に示すように、ノズル部６には風向を上下左右の動作可能なルーバー１３を設けている。
【００９３】
また、前記ルーバー１３は上下左右の方向へ送風可能にするためのルーバー可動手段１４を設けている。
【００９４】
さらに、前記ルーバー可動手段１４の一例としては、ステッピングモータなどが用いられ、前記制御部７からの信号でステッピングモータが回転し、その回転力にて前記ルーバー１３が機械的に上下左右に可動させて前記ノズル部６から乾燥室３の底部に向けて空気流を送風方向の変更が可能である。
【００９５】
また、乾燥室３の内面に水分量検知手段１５を設けている。
【００９６】
さらに、前記水分量検知手段１５の一例として、赤外線水分計などの赤外線の反射によって光学的に水分検出できるもので、前記乾燥室３に複数個配置されている前記水分量検知手段１５からの水分量を数値的データとして前記制御部７に送ることができる。
【００９７】
また、前記制御部７は、前記水分量検知手段１５の検知データを集計することで、前記乾燥室３内の壁面及び底部の水分量の分布を把握することができる。
【００９８】
さらに、乾燥室３の内面に水分量検知手段１５を備え、遅延運転中の遅延時間に乾燥室３の内部の水分量を検知し、水分量の多い方向にルーバー１３を可動させることができる。
【００９９】
また、前記制御部７は、前記水分量検知手段１５の情報より、前記乾燥室３の壁面に水分付着されていれば、上面にある壁面を優先に送風し、左右方向においては、水分量の多い方向を優先に前記排水口８に向かって送風することができる。
【０１００】
さらに、前記乾燥室３の壁面の水分の付着がなくなれば、下面の底部の水分量を検知してから、壁面同様に左右方向の水分量の多い方向を優先に前記排水口８に向かって送風することができる。
【０１０１】
また、制御部７は、乾燥室３内部の乾燥状態を検知しながら、空気流の送風量を自動算出する前記制御部７を設けている。
【０１０２】
さらに、前記制御部７は、前記水分量検知手段１５のリアルタイムの水分量を検出し、送風量に対する飛散状況及び自然乾燥により減少した水分量を検出し、残された遅延運転時間から必要な送風量を自動算出して運転することができる。
【０１０３】
また、制御部７は、乾燥室３内部の乾燥状態を検知しながら、空気流の送風量を変更せず、遅延時間を自動算出する前記制御部７を設けている。
【０１０４】
さらに、前記制御部７は、前記水分量検知手段１５のリアルタイムの水分量を検出し、送風量に対する飛散状況及び自然乾燥により減少した水分量を検出し、送風量一定で必要な遅延運転時間を自動算出して運転することができる。
【０１０５】
また、制御部７は、乾燥室３内部の乾燥状態を検知しながら、機器の通常運転に対する乾燥運転の頻度を設定可能な第４設定スイッチ１１ｄとその設定を記憶する第４記憶装置１２ｄを設けている。
【０１０６】
さらに、前記第４設定スイッチ１１ｄを設定することで、毎回行う乾燥室内を乾燥させるための予備乾燥運転モードと本来の機能である手乾燥に特化した運転である通常運転の頻度の割合を変更できる前記制御部７には、前記第４記憶装置１２ｄを設けている構成する。
【０１０７】
上記構成により、遅延運転になったら、ルーバー１３の向きを自動で乾燥室３壁面から底部に向けて送風させることで、乾燥室３内の水分を排水口８に集めることができるため、乾燥室３内の乾燥状態が加速することとなる。
【０１０８】
また、運転中の乾燥室３内に赤外線水分計などの赤外線の反射によって光学的に水分検出を行うことで、乾燥室３内の水分量が測定可能となり、乾燥室３内の乾燥状態が数値化できることとなる。
【０１０９】
さらに、運転中の水分量検知手段１５の結果にて、水分量の多い方向から排水口８に向かって送風を繰り返すことで、効率的な乾燥を行うことができることとなる。
【０１１０】
また、運転中の水分量検知手段１５の結果にて、送風量を確認し遅延運転時間内の送風量を算出して送風運転することで、遅延時間一定にて、効率的な乾燥を行うことができることとなる。
【０１１１】
さらに、運転中の水分量検知手段１５の結果にて、送風量を確認し送風量を変更せず、遅延運転時間を算出して送風運転することで、送風量一定にて、効率的な乾燥を行うことができることとなる。
【０１１２】
また、運転中の水分量検知手段１５の結果にて、制御部７内にある第４記憶装置１２ｄと第４設定スイッチ１１ｄにて、通常運転と遅延運転の頻度の設定を可能とすることで、水分量検知手段１５の結果に応じて、遅延運転の回数を増減することができることとなる。
【０１１３】
（実施の形態３）
図３は、本発明の実施の形態３の手乾燥装置を示す側断面図であり、図４は、本発明の実施の形態３の手乾燥装置を示す斜視図である。
【０１１４】
図１〜図４に示すように、制御部７は、手検知部４が手非検知状態の時に、乾燥室３内の水分量を検知し、乾燥していなければ、空気流が弱い送風量で電動送風機２を運転し、前記乾燥室３内の空気を循環させることができる。
【０１１５】
また、前記手検知部４が手非検知状態なので、前記本体１は停止であるが前記乾燥室３内に水分が付着している場合は、自然乾燥のみとなり乾燥を加速するために、前記電動送風機２を低騒音である弱風量や微風量で前記電動送風機２を運転することで、空気を循環させることができる。
【０１１６】
さらに、本体１内の電動送風機２とノズル部６間の風路にヒーター１６を備え、手非検知状態時に、乾燥室３内の水分量を検知し、乾燥していなければ、前記ヒーター１６にて空気流を加熱させて、前記乾燥室３内の空気を電動送風機２が弱い送風量で循環させることができる。
【０１１７】
また、前記ヒーター１６の一例としてはＰＣＴヒーターなどの即熱が可能なものが一般的に使用されることが多く、前記ヒーター１６は通常の手乾燥機に装備している機能のため、使用方法を変更して水分量の状態に応じて、前記電動送風機２を低騒音である弱風量や微風量で運転することで、乾燥時間を加速させることができる。
【０１１８】
さらに、制御部７は、手非検知状態時でも乾燥室３の内部の水分量を検知し、乾燥していなければ、ヒーター１６を断続的にＯＮ／ＯＦＦさせて空気流を加熱させたり加熱しなかったりすることで、前記乾燥室３内の空気を循環させることができる。
【０１１９】
また、前記制御部７は、前記ヒーター１６のＯＮ／ＯＦＦの時間のタイミングを制御している。
【０１２０】
さらに、前記ヒーター１６は一度ＯＮして加熱すると、持続性があるため弱風量や微風量で運転させると暖かい空気を継続的に送風することができる。
【０１２１】
また、制御手段は、第１表示手段１７ａを設けている。
【０１２２】
さらに、前記第１表示手段１７ａの一例として、ＬＥＤやＬＣＤなどで、前記制御部７からの信号により、製品外郭の正面に備えた前記第１表示手段１７ａは前記電動送風機２が低騒音である弱風量や微風量で運転しているときに予備乾燥運転モードで運転していることを表示することができる。
【０１２３】
また、乾燥室３の手挿入口を塞ぐカバー１８と前記カバー１８を可動するカバー可動手段１９を設けている。
【０１２４】
さらに、前記カバー１８は前記本体１に内臓されており、前記本体１の上面にある手挿入口を覆いかぶさるように開閉式の可動手段である前記カバー可動手段１９の一例としてはステッピングモータなどがある。
【０１２５】
また、前記制御部７が前記水分量検知手段１５の状況から前記乾燥室３内を完全乾燥させるために、前記カバー可動手段１９が前記カバー１８を閉動作させるために可動することで、前記乾燥室３内を閉空間にすることができる。
【０１２６】
さらに、前記乾燥室３が完全乾燥したら、前記水分量検知手段１５が検出し、前記制御部７からの信号で、前記カバー可動手段１９が開動作することで、完全予備乾燥運転モードを終了することができる。
【０１２７】
また、制御部７は、完全予備乾燥運転モードの運転頻度を設定する第５設定スイッチ１１ｅとその設定状態を記憶する第５記憶装置１２ｅを設けている。
【０１２８】
さらに、前記第５設定スイッチ１１ｅを設定することで、毎回行う乾燥室内を乾燥させるための完全予備乾燥運転モードと本来の機能である手乾燥に特化した運転である通常運転の頻度の割合を変更できる前記制御部７には、前記第５記憶装置１２ｅを設けている。
【０１２９】
また、制御手段は、第２表示手段１７ｂを設けている。
【０１３０】
さらに、製品外郭の正面に備えた前記第２表示手段１７ｂは前記電動送風機２が完全予備乾燥運転モード中に前記乾燥室３の前記水分量検知手段１５がリアルタイムに水分量を検出し、乾燥するまでの乾燥終了時間を前記制御部７が自動算出し、前記第２表示手段１７ｂに終了時間を表示させるようにすることができる。
【０１３１】
また、制御部７は人感センサー２０を設けている。
【０１３２】
さらに、前記人感センサー２０の一例として、赤外線方式が一般的に用いられており、広角度に検知することができる。
【０１３３】
また、完全予備乾燥運転モード中に前記人感センサー２０が人体を検知すると、前記制御部７は、完全予備乾燥運転モードを停止させるために、前記電動送風機２の回転と前記ヒーター１６を停止させながら、前記カバー１８を開けて通常使用できるように手検知の待機状態にすることができる構成する。
【０１３４】
上記構成により、停止中も水分量検知手段１５にて検知し、乾燥室３内が十分に乾燥されていなければ、予備乾燥運転モードとして、弱風量で送風し、乾燥室３内の空気を循環させることで、機器周辺の人に気付かれることなく、乾燥室３を加速させることで、乾燥状態を保つことができることとなる。
【０１３５】
また、停止中の予備乾燥運転モードで、ヒーター１６にて加熱された空気を送風し、乾燥室３内の空気を循環させることで、機器周辺の人に気付かれることなく、乾燥室３を更に加速させることで、乾燥状態を保つことができることとなる。
【０１３６】
さらに、停止中の予備乾燥運転モードとして、ヒーター１６の断続的なＯＮ／ＯＦＦを繰り返しながら加熱された空気を送風し、乾燥室３内の空気を循環させることで、省エネを考慮しながら乾燥室３の乾燥を加速させることとなる。
【０１３７】
また、停止中の予備乾燥運転モード中に本体１正面の表示手段１７に予備乾燥運転モード中であることを表示することで、予備乾燥運転モードであることを周辺の人にお知らせし、誤動作でないことを表示することとなる。
【０１３８】
さらに、停止中の完全予備乾燥運転モード中に本体１内部のカバーが自動可動し手挿入口を塞ぎ、手を挿入不可状態にて完全予備乾燥運転モードを行うことで、短時間乾燥を行うのと、第一使用者の水分の跳ね返りがなく、気持ちよく使用してもらうという効果得られることとなる。
【０１３９】
また、停止中の完全予備乾燥運転モードの実施頻度を制御部７内にある第５記憶装置１２ｅと第５設定スイッチ１１ｅにて、設定を可能とすることで、使用者を待たせる回数を少なくしながら、第一使用者の水分の跳ね返りがなく、気持ちよく使用してもらうという効果得られることとなる。
【０１４０】
さらに、停止中の完全予備乾燥運転モードの終了時間を制御部７で自動算出して表示させることで、使用者を待たせる時間を明確にできるという効果得られることとなる。
【０１４１】
また、停止中の完全予備乾燥運転モード中に人感検知すると、カバー可動手段が動作し、カバー１８を可動させて通常動作となることで、使用者を待たせることを防止することとなる。
【０１４２】
（実施の形態４）
図５は、本発明の実施の形態４の手乾燥装置を示す側断面図である。
【０１４３】
図１〜図５に示すように、本体１内の電動送風機２とノズル部６間の風路に菌の発生を抑制する消毒剤散布手段２１を設けている。
【０１４４】
また、前記消毒剤散布手段２１は、例えばアルコール剤等の液体を霧状に散布する手段を設けた構造で、前記電動送風機２の動作とは関係なく、前記乾燥室３の前記水分量検知手段１５の水分量より、底部に水分を検知したら定期的に散布することができる。
【０１４５】
さらに、制御部７は、消毒剤散布手段２１より消毒剤を散布する頻度を設定する第６設定スイッチ１１ｆとその設定を記憶する第６記憶装置１２ｆを設けている。
【０１４６】
また、前記第６設定スイッチ１１ｆを設定することで、毎回行う乾燥室内を消毒剤散布手段２１より消毒剤を散布するのではなく、本来の機能である手乾燥に特化した運転である通常運転の頻度の割合を変更できる前記制御部７には、前記第６記憶装置１２ｆを設ける構成する。
【０１４７】
上記構成により、停止中も水分量検知手段１５にて検知し、乾燥室３内に消毒剤散布手段２１にて、消毒剤を散布することで、乾燥室３に溜まる水分からの菌の発生を抑制させるという効果得られることとなる。
【０１４８】
また、停止中の消毒散布手段の動作頻度を制御部７内にある記憶装置と設定スイッチにて、設定を可能とすることで、設置場所や使用状況に合わせた使用者の設定が可能となり、過剰散布による消毒剤の使用の防止を行うこととなる。
【産業上の利用可能性】
【０１４９】
本発明の手乾燥装置は、レストランやホテルなどの洗面所やトイレに設置され、また病院や手術室や調理場においても適用できる。
【図面の簡単な説明】
【０１５０】
【図１】本発明の実施の形態１の手乾燥装置を示す側断面図
【図２】本発明の実施の形態２の手乾燥装置を示す側断面図
【図３】本発明の実施の形態３の手乾燥装置を示す側断面図
【図４】本発明の実施の形態３の手乾燥装置を示す斜視図
【図５】本発明の実施の形態４の手乾燥装置を示す側断面図
【符号の説明】
【０１５１】
１      本体
２      電動送風機
３      乾燥室
４      手検知部
５      吸気口
６      ノズル部
７      制御部
８      排水口
９      ドレン配管
１０    ドレンタンク
１１    設定スイッチ
１１ａ  第１設定スイッチ
１１ｂ  第２設定スイッチ
１１ｃ  第３設定スイッチ
１１ｄ  第４設定スイッチ
１１ｅ  第５設定スイッチ
１１ｆ  第６設定スイッチ
１２    記憶装置
１２ａ  第１記憶装置
１２ｂ  第２記憶装置
１２ｃ  第３記憶装置
１２ｄ  第４記憶装置
１２ｅ  第５記憶装置
１２ｆ  第６記憶装置
１３    ルーバー
１４    ルーバー可動手段
１５    水分量検知手段
１６    ヒーター
１７    表示手段
１７ａ  第１表示手段
１７ｂ  第２表示手段
１８    カバー
１９    カバー可動手段
２０    人感センサー
２１    消毒剤散布手段
【図１】
2010166940.tif 000003
【図２】
2010166940.tif 000004
【図３】
2010166940.tif 000005
【図４】
2010166940.tif 000006
【図５】
2010166940.tif 000007